(57)【要約】【課題】通水時の水圧でシャワーヘッドが上昇してシャワー保持具から脱離するのを規制したシャワー装置を提供する。【解決手段】シャワー装置１００は、シャワーヘッド１２０をシャワーホース１１０先端に連結する連結部材１３０とシャワーヘッドを脱着可能に保持するシャワー保持具１４０とを備え、通水時の水圧によって連結部材１３０の各係合部１３３が磁力に抗して離隔することで、連結部材の側壁１３１から貫通孔を介して各係合部１３３が突出してシャワー保持具１４０の対応係合部１４３と係合し、シャワー保持具に対して連結部材の動きを規制することで、シャワーヘッド１２０のシャワー保持具１４０からの脱離を防止する。【選択図】図２
2007262838.tif 000002
【特許請求の範囲】
【請求項１】
シャワーホースと、シャワーヘッドと、シャワーヘッドをシャワーホース先端に連結する連結部材と、壁面，スライドバー等の取付面に取り付けられ上記シャワーヘッドを脱着可能に保持するシャワー保持具と、を備えたシャワー装置であって、
通水時の水圧によって上記連結部材と上記シャワー保持具とが係合し、シャワー保持具に対して連結部材の動きを規制することを特徴とする、シャワー装置。
【請求項２】
前記連結部材が係合部を有し、
前記シャワー保持具が上記連結部材の係合部と係合する対応係合部を有し、
通水時の水圧によって、上記係合部と上記対応係合部とでシャワー保持具に対して連結部材の動きを規制することを特徴とする、請求項１に記載のシャワー装置。
【請求項３】
前記連結部材の係合部が、通水時の水圧によって該連結部材の側壁から外方へ突出して前記シャワー保持具の対応係合部と係合することを特徴とする、請求項２に記載のシャワー装置。
【請求項４】
前記連結部材の側壁に一対の貫通孔が対向して形成され、前記係合部が該貫通孔にそれぞれ挿入されると共に、該各係合部の先端には互いに引き合うように一対の磁石が対向配置されており、
通水時の水圧によって上記連結部材の各係合部が磁力に抗して離隔することで、該各係合部が連結部材の側壁から突出して前記シャワー保持具の対応係合部と係合し、シャワー保持具に対して連結部材の動きを規制することを特徴とする、請求項３に記載のシャワー装置。
【請求項５】
前記連結部材の側壁に一対の貫通孔が対向して形成され、前記係合部が該貫通孔にそれぞれ挿入されると共に、連結部材内で弾性部材により互いに連結されており、
通水時の水圧により上記弾性部材が伸張され、上記連結部材の各係合部が離隔することで、該各係合部が連結部材の側壁から突出して前記シャワー保持具の対応係合部と係合し、シャワー保持具に対して連結部材の動きを規制することを特徴とする、請求項３に記載のシャワー装置。
【請求項６】
前記連結部材の係合部は弾性シートで成り、該弾性シートが連結部材の側壁に形成された貫通孔を閉塞して取り付けられており、
通水時に前記連結部材内の水圧によって、上記弾性シートが外方へ膨出することで前記シャワー保持具の対応係合部と係合することを特徴とする、請求項３に記載のシャワー装置。
【請求項７】
前記シャワー保持具の対応係合部は、該シャワー保持具の内壁面に形成した溝又は凹部、及びシャワー保持具の底面の何れかで成ることを特徴とする、請求項３乃至６の何れかに記載のシャワー装置。
【請求項８】
前記シャワー保持具の対応係合部が、該シャワー保持具の内壁面に取り付けた摩擦材で成り、通水時の水圧によって前記弾性シートが外方へ膨出して該摩擦材に圧接することでシャワー保持具に対して連結部材の動きを規制することを特徴とする、請求項６に記載のシャワー装置。
【発明の詳細な説明】
【技術分野】
【０００１】
本発明は、浴室などに設けられるシャワー装置に係り、特に、シャワーヘッドをシャワー保持具に保持した状態でシャワー装置に通水した際、水の勢いによってシャワーヘッドがシャワー保持具から脱離することを規制したシャワー装置に関するものである。
【背景技術】
【０００２】
従来から、シャワー装置は、家庭の浴室、洗面室、キッチンなどに限らず、ホテルや公共施設など、屋内外の各種の施設で広く普及し利用に供されている。この種のシャワー装置５００は、図１３に示すように、シャワーホース５１０と、複数の吐出孔５２１を有するシャワーヘッド５２０と、シャワーヘッド５２０の端部に取り付けられシャワーホース５１０の先端部をシャワーヘッド５２０に連結する連結部材５３０と、浴室の壁面などに取り付けられシャワーヘッド５２０を保持するシャワー保持具５４０とを備えている。なお、図１３では、吐出孔５２１の表示を簡略化して一部だけを表している。
【０００３】
連結部材５３０は、シャワーヘッド５２０よりも小径で且つシャワーホース５１０よりも大径の円筒状に形成されている。シャワー保持具５４０は断面Ｃ状のフックとして、前面側が切り欠かれてシャワーホース５１０の差込み口５４１を形成しており、この差込み口５４１からシャワーホース５１０を差し込んで連結部材５３０を保持するようになっている。シャワーホース５１０は例えば樹脂材にて屈曲可能に形成され、その先端に取り付けたシャワーヘッド５２０を任意の方向と位置に移動させることができる。
【０００４】
このような構成のシャワー装置５００では、浴室等の壁面に取り付けたシャワー保持具５４０の上方から連結部材５３０をシャワー保持具５４０に挿着することで、シャワーヘッド５２０と連結部材５３０の境界の段部でシャワー保持具５４０に掛止し、これによりシャワーヘッド５２０を保持するようにしており、シャワーヘッド５２０をシャワー保持具５４０に保持した状態で、使用者は吐出孔５２１から湯水を吐出させて体や髪を洗うことができる。なお、連結部材５３０を、シャワーヘッド側の外径を大きくしシャワーホース側の外径を小さくテーパー状に形成し、このテーパー面をシャワー保持具５４０に嵌合してシャワーヘッド５２０を保持する構成も知られている。
【０００５】
この種のシャワー装置が、特許文献１〜３にも開示されている。
【特許文献１】特開２００１−４９７０６号公報
【特許文献２】特開２００２−３７１６０５号公報
【特許文献３】特開２００３−３２８４１０号公報
【発明の開示】
【発明が解決しようとする課題】
【０００６】
しかし、シャワーヘッド５２０をシャワー保持具５４０に保持した状態でシャワーヘッド５２０から湯水を吐出させる場合、吐出する水圧が高いと、シャワーホース５１０及びシャワーヘッド５２０に水圧が作用して、連結部材５３０がシャワー保持具の中でブレて揺動したり、シャワー保持具５４０から上昇して外れたりするおそれがある。この場合、湯水が周囲に飛散したり、また、シャワーヘッド５２０が洗い場などに落下してしまうことも考えられる。
【０００７】
本発明は以上の点に鑑み、通水時の高い水圧によっても、シャワー保持具に保持された連結部材が揺動したり、シャワー保持具から脱離することが規制され、シャワーヘッドの一定姿勢を確実に保持し得るシャワー装置を提供することを目的とする。
【課題を解決するための手段】
【０００８】
上記目的を達成するために、本発明は、シャワーホースと、シャワーヘッドと、シャワーヘッドをシャワーホース先端に連結する連結部材と、壁面，スライドバー等の取付面に取り付けられシャワーヘッドを脱着可能に保持するシャワー保持具と、を備えたシャワー装置であって、通水時の水圧によって連結部材とシャワー保持具とが係合し、シャワー保持具に対して連結部材の動きを規制することを特徴としている。
【０００９】
前記連結部材には係合部が形成され、これに対応して前記シャワー保持具には、この連結部材の係合部と係合する対応係合部が備えられ、通水時の水圧によって、この係合部と対応係合部とが係合することでシャワー保持具に対して連結部材の動きが規制される。
【００１０】
前記連結部材の係合部は、好ましくは、通水時の水圧によって該連結部材の側壁から外方へ突出して、シャワー保持具の対応係合部と係合する。
【００１１】
本発明のシャワー装置において、好ましくは、前記連結部材の側壁に一対の貫通孔が対向して形成され、連結部材の係合部はこれらの貫通孔にそれぞれ挿入されると共に、各係合部の先端に一対の磁石を互いに引き合うように対向配置しており、通水時の水圧によって上記各係合部が磁力に抗して離隔することで、各係合部が連結部材の側壁から突出してシャワー保持具の対応係合部と係合し、シャワー保持具に対して連結部材の動きを規制する。
【００１２】
本発明のシャワー装置において、好ましくは、連結部材の側壁に一対の貫通孔が対向して形成され、連結部材の係合部はこれらの貫通孔にそれぞれ挿入されると共に、連結部材内で弾性部材によって互いに連結されており、通水時の水圧により弾性部材が伸張され、連結部材の各係合部が離隔することで、各係合部が連結部材の側壁から突出してシャワー保持具の対応係合部と係合し、以て連結部材の動きが規制される。
【００１３】
前記連結部材の係合部を弾性シートで形成し、この弾性シートを連結部材の側壁に形成された貫通孔を閉塞して取り付け、通水時に連結部材内の水圧によって弾性シートを外方へ膨出させることで、シャワー保持具の対応係合部と係合させるようにしてもよい。
【００１４】
前記シャワー保持具の対応係合部は、好ましくは、シャワー保持具の内壁面に形成した溝又は凹部、及びシャワー保持具の底面の何れかで成る。
【００１５】
前記シャワー保持具の対応係合部を、シャワー保持具の内壁面に取り付けた摩擦材で形成し、通水時の水圧によって前記弾性シートを外方へ膨出させてこの摩擦材に圧接させることで、シャワー保持具に対して連結部材の動きを規制するようにしてもよい。
【発明の効果】
【００１６】
本発明によれば、シャワー保持具にシャワーヘッドが保持された状態で通水したとき、水の勢いが強かったとしても、その水圧によって係合部と対応係合部とが係合状態を保持することで、シャワー保持具に対する連結部材の動きが規制される。例えば、連結部材内の係合部が連結部材側壁の貫通孔から突出したり、弾性シートとして外方へ膨出したりすることで、それらがシャワー保持具の対応係合部と係合し、水圧によりこの係合状態が保持され、その結果、通水時の水圧による連結部材の動きが規制されて、シャワーヘッドの左右方向へのブレや脱離が生じない。一方、止水状態では連結部材への水圧がかからないため、連結部材とシャワー保持具との係合状態が解除され、シャワーヘッドを簡単に引き抜くことができる。
【００１７】
したがって、通水時において過度の水圧によって連結部材が左右に振れて揺動したり、上昇してシャワー保持具から脱離しようとしても、水圧によって係合部と対応係合部とが係合することで連結部材の動きや上昇を規制することができるので、シャワーヘッドのブレによる揺動や脱落を防止することができる。
【発明を実施するための最良の形態】
【００１８】
以下、図面に基づいて本発明の幾つかの実施の形態を説明する。
（第１の実施形態）
図１は本発明の第１の実施形態に係るシャワー装置１００を設置した浴室１０を示す外観図、図２はシャワー装置１００の斜視図である。浴室１０には洗い場２０に隣接して浴槽３０が設置されており、洗い場２０と浴槽３０との四方を囲むように壁パネル４１〜４３が組み付けられている。ただし、浴室ドアが設けられた一つの壁パネルは図示を省略している。これらの壁パネルの上方を覆うように天井５０が組み付けられている。
【００１９】
壁パネル４２には、洗い場２０に隣接してカウンター６０が設置されている。このカウンター６０の上方の壁パネル４２には、切換部７１と温度調節部７２とを有する水栓７０と、ミラー８０と、洗面用具載置用の棚９０と、シャワー装置１００とが取り付けられている。浴槽３０に隣接した壁パネル４１には、滑り防止用の手摺り３１が取り付けられている。
【００２０】
水栓７０には吐水口が設けられており、切換部７１を操作することで水の吐水・止水の切り換えと、水を水栓７０の吐水口から出すかシャワー装置１００から出すかを切り換えることができるようになっている。また、水栓７０の温度調節部７２を操作して湯水の温度を設定することで、適温の湯水を水栓７０或いはシャワー装置１００から出すことができる。切換部７１と温度調節部７２は、例えば、水栓本体に回転可能に取り付けたノブを備えており、切換用ノブの回転位置に応じて水を出す対象を切り換えることができ、温度調節用ノブの回転位置に応じて水の温度を変えることができるようになっている。
【００２１】
シャワー装置１００は、図１及び図２に示すように、水栓７０に基部を連結したシャワーホース１１０と、複数の吐出孔１２１を有するシャワーヘッド１２０と、このシャワーヘッド１２０の端部に取り付けられシャワーホース１１０の先端部をシャワーヘッド１２０に連結する連結部材１３０と、壁パネル４２などの取付面に取り付けられ連結部材１３０を脱着可能に把持するシャワー保持具１４０と、から構成されている。なお、図２では吐出孔１２１の表示を簡略化して一部だけを表している。
【００２２】
図示例では、シャワー保持具１４０は、異なる高さ位置で壁パネル４２の二箇所に取り付けられているが、シャワー保持具１４０の数は１個でも又は必要に応じて３個以上であってもよい。また、シャワー保持具１４０の取付面は壁パネルに限らず、シャワーホース長に応じて、壁面に取り付けたスライドバーや、カウンターなど取り扱いに便利な任意の箇所に取り付けることができる。
【００２３】
連結部材１３０の外径は、シャワーヘッド１２０よりも小径で且つシャワーホース１１０よりも大径の円筒状に形成され、この円筒内にてシャワーヘッド１２０の接続部とシャワーホース先端とを漏水しないよう水密に連結する。シャワー保持具１４０は断面Ｃ状のフックとして、前面側が切り欠かれてシャワーホース１１０の差込み口１４１を形成しており、この差込み口１４１からシャワーホース１１０を差し込んで連結部材１３０を保持するようになっている。ただし、差込み口１４１の開口幅は、連結部材１３０の外径より狭く形成され、差込み口１４１の開口から連結部材１３０を直接挿入することができないように設計される。なお、シャワーホース１１０は例えば樹脂材にて屈曲又は湾曲可能に形成され、その先端に取り付けたシャワーヘッド１２０を任意の方向と位置に移動させることができる。
【００２４】
上記構成のシャワー装置１００では、浴室の適宜箇所に取り付けたシャワー保持具１４０の上方から連結部材１３０をシャワー保持具１４０に挿着することで、シャワーヘッド１２０と連結部材１３０との境界の段部１２５でシャワー保持具１４０に掛止し、これによりシャワーヘッド１２０が保持される。シャワーヘッド１２０をシャワー保持具１４０に保持した状態で、使用者は吐出孔１２１から湯水を吐出させて身体の洗浄又は洗髪することができる。なお、連結部材１３０を、シャワーヘッド側の外径を大きくしシャワーホース側の外径を小さくテーパー状に形成して、このテーパー面をシャワー保持具１４０に嵌合してシャワーヘッド１２０を保持するようにしてもよい。
【００２５】
以上の構成は従来のシャワー装置５００と同様であるが、本発明の第１の実施形態に係るシャワー装置１００は、通水時の水圧によって連結部材１３０がシャワー保持具１４０から脱離するのを規制したことを特徴としている。
【００２６】
本実施形態に係る連結部材１３０は、例えば硬質樹脂材で円筒形状に成形され、図２において、下端からシャワーホース１１０を挿着し、上端からシャワーヘッド１２０を挿着してこれらを連結するようになっており、図２では、その外壁面から横方向に係合部１３３が突出している。図示の例では、二つの係合部１３３，１３３が連結部材１３０に互いに１８０度離間した左右の位置で横方向に突設している。
【００２７】
図３及び図４は、本実施形態に係る連結部材１３０の断面図で、図３は対向する係合部１３３，１３３が互いに近接した状態を、図４は離隔した状態を示している。これらの図に示すように、連結部材１３０の円筒軸Ｘと直交する直線上の対向する連結部材の側壁１３１，１３１に、それぞれ貫通孔１３２，１３２が開設されていて、これらの各貫通孔１３２，１３２に係合部１３３，１３３が挿入されてこの貫通孔１３２内を図において左右に滑動可能に取り付けられている。
【００２８】
連結部材の係合部１３３は、連結部材側壁１３１の厚みの約２〜３倍程度の長さを有していて、その外端が連結部材の外壁に位置すると共に、貫通孔１３２を経てその内端が連結部材内部まで挿入された係合部本体１３３Ａと、この本体１３３Ａの内端側からシャワーヘッド１２０側へ傾斜して延出しシャワーホース１１０から連結部材１３０内に流入する水を受ける受け部１３３Ｂと、本体１３３Ａの外端側に設けられ係合部１３３が貫通孔１３２から外れるのを防止する爪部１３３Ｃと、から構成されている。
【００２９】
これらの一対の係合部本体１３３Ａの互いに対向する内端側の先端には、極性の異なる面が対向するように、例えば平板状の磁石１３４が取り付けられており、これらの磁石１３４，１３４の磁力により、各係合部１３３，１３３が互いに引き合う吸引力が働くように配置されている。
【００３０】
各係合部１３３，１３３は、図３に示すように、止水時は、連結部材内で磁力によって互いの先端（内端）が近接し外端側の爪部１３３Ｃが連結部材側壁１３１に当接することでその近接位置が維持されている。この磁力に抗して各係合部１３３が離隔する力を受けると、即ち、通水により連結部材１３０内に水が導入されるとその水圧を受け部１３３Ｂが受けて、図４に示すように、係合部１３３が貫通孔１３２内を滑動して近接位置から離隔され、これに伴い、係合部本体１３３Ａの外端側が連結部材側壁１３１の貫通孔１３２から凸状に突出することになる。
【００３１】
再び図２を参照すると、シャワー保持具１４０には、図示のようにその内壁面１４２に略Ｕ字状の溝１４３が形成されている。この溝１４３は連結部材１３０の係合部１３３と係合する対応係合部を構成しており、連結部材１３０の保持具へのセット時に、連結部材側壁１３１から突出する係合部１３３が嵌着するよう、シャワー保持具１４０の内壁面１４２の所定の高さ位置で筋状の横溝として所定長で凹設されている。この横溝１４３は、突出した係合部１３３を掛止することで、シャワーヘッド１２０の上昇を防止すると共に、横溝１４３に沿って係合部１３３を回動することで、シャワーヘッド１２０を左右何れかの方向で所定の角度位置に保持する機能を有する。
【００３２】
次に、第１の実施形態に係るシャワー装置１００の作用について説明する。
シャワー装置１００の止水時においては、図３に示すように、各係合部１３３は、磁力により互いに引き合う吸引力が作用して、連結部材内部で互いに近接位置にある。この止水状態でシャワーヘッド１２０を取り外すには、係合部１３３と対応係合部１４３とが非係合状態にあるので、シャワーヘッド１２０を単に持ち上げるだけでシャワー保持具１４０から引き抜くことができる。
【００３３】
いま、シャワーヘッド１２０をシャワー保持具１４０にセットした状態で通水すると、シャワーホース１１０からシャワーヘッド１２０に水が流入する際、連結部材１３０内の受け部１３３Ｂに水が当たり、特に水の勢いが強いと、その水圧により磁力に抗して各係合部１３３を連結部材側壁１３１へ押圧する力が作用する。これにより、各係合部１３３が離隔して、図２及び図４に示すように、係合部本体１３３Ａの外端部が貫通孔１３２から外方へ凸状に突出する。
【００３４】
水圧によって貫通孔１３２から突出した係合部１３３は、図５に示すように、シャワー保持具１４０の対応係合部としての溝１４３内に入り込む。この場合、連結部材１３０が矢印α方向に持ち上げられようとしても、係合部本体１３３Ａの外端部がシャワー保持具１４０の溝１４３内に嵌入しているので、連結部材１３０がシャワー保持具１３０から抜け出てしまうのが規制される。
【００３５】
このように、本発明の第１の実施形態に係るシャワー装置１００によれば、シャワーヘッド１２０をシャワー保持具１４０に保持した状態で通水すると、水圧によって係合部１３３が連結部材側壁１３１から突出し、シャワー保持具１４０の溝１４３内で係合する。この場合、たとえ水勢が強くて連結部材１３０が上昇しようとしても、係合部１３３が対応係合部としての溝１４３と係合することで、シャワー保持具１４０に対して連結部材１３０の動きが規制される。よって、通水時において連結部材１３０がシャワー保持具１４０から外れることがなく、シャワーヘッド１２０の落下が原因となってシャワーヘッド１２０が破損したり、落下したシャワーヘッド１２０による洗い場２０等が損傷を受けることなどが防止される。
【００３６】
（第２の実施形態）
次に、本発明の第２の実施形態に係るシャワー装置２００について説明する。
第２の実施形態に係るシャワー装置２００では、係合部１３３に設ける磁石１３４に代えて、弾性部材を用いたことを特徴としている。なお、第１の実施形態に係るシャワー装置１００の構成部材と同じものには同一の符号を付し、その詳細な説明は省略する。
【００３７】
図６及び図７は本発明の第２の実施形態に係る連結部材２３０の断面図であり、これらの図に示すように、一対の係合部１３３の先端には、弾性部材としての紐状又は帯状のゴム２３５が連結されている。この場合、図６に示すように、各係合部１３３が貫通孔内部に深く入り込んだ近接位置にあるとき、係合部本体１３３Ａを連結するゴム２３５は、例えば自然長にあるか又はそれよりも若干伸張して係合部を互いに近接させている。この近接状態では、ゴム２３５の収縮力によって爪部１３３Ｃは連結部材側壁１３１に当接しており、連結部材２３０はシャワー保持具１４０の内周壁に対して僅かな隙間を有して嵌着されている。
【００３８】
上記のように構成したシャワー装置２００の止水時は、図６に示すように、各係合部１３３は、ゴム２３５の弾性力によって連結部材内に引き込まれて係合部の各内端が互いに近接状態にある。従って、連結部材２３０の係合部１３３とシャワー保持部１４０の対応係合部とは非係合状態にあるので、使用者はシャワーヘッド１２０を単に持ち上げるだけでシャワー保持具１４０から簡単に連結部材２３０を外すことができる。
【００３９】
ここで、シャワーヘッド１２０をシャワー保持具１４０にセットした状態で通水すると、シャワーホース１１０からシャワーヘッド１２０内に水が流入する際、連結部材２３０内の受け部１３３Ｂに水が当たり、特に水の勢いが強いと、その水圧によってゴム２３５の弾性力に抗して各係合部１３３を連結部材側壁１３１へ押圧する力が作用する。これにより、ゴム２３５がさらに伸張して各係合部１３３が離隔し、図７に示すように、係合部本体１３３Ａの外端部が貫通孔１３２から外方へ凸状に突出する。よって、本実施形態に係る連結部材２３０においても、水圧によって貫通孔１３２から突出した係合部１３３が図５に示すように、シャワー保持具１４０の溝１４３内に入り込む。
【００４０】
このように、第２の実施形態に係るシャワー装置２００においても、前述の第１の実施形態と同様に、シャワーヘッド１２０をシャワー保持具１４０に保持した状態で通水すると、たとえ水勢が強くて連結部材２３０が上昇しようとしても、係合部１３３が対応係合部としての溝１４３と係合することで、シャワー保持具１４０に対して連結部材２３０の動きが規制されることになる。
なお、第２の実施形態において、係合部本体１３３Ａの各先端を連結する弾性部材は、ゴム２３５に限らず、例えばコイル状のバネなどを用いても良い。
【００４１】
（第３の実施形態）
次に、本発明の第３の実施形態に係るシャワー装置３００について、図８及び図９を参照して説明する。この実施形態では、連結部材３３０の係合部として、弾性シートを用いたことを特徴としている。なお、第１の実施形態に係るシャワー装置１００等の構成部材と同じものには同一の符号を付し、その詳細な説明は省略する。
【００４２】
図８及び図９に示すように、連結部材３３０には、その側壁１３１の表面に貫通孔１３２を閉塞するよう弾性シート３３５が取り付けられている。この弾性シート３３５は膨出変形可能な、例えばゴム製のシートで構成されている。
また、連結部材３３０内には、シャワーホース１１０から連結部材３３０内に流れ込む水を貫通孔１３２側へ導くためのガイド片３３７が、貫通孔１３２に隣接して屋根状に連結部材側壁１３１の内壁面から中心に向かって突出して形成されている。
【００４３】
上記シャワー装置３００の作用について説明する。
シャワー装置３００の止水時では、図８に示すように、弾性シート３３５に対して連結部材３３０の内部からの水圧が無いので、弾性シート３３５は、連結部材側壁１３１の外周面に対してほぼ面一状をなしている。
ここで、シャワーヘッド１２０をシャワー保持具１４０にセットした状態で通水すると、シャワーホース１１０からシャワーヘッド１２０に水が流入する際、連結部材３３０内でガイド片３３７に水が当たり、このガイド片３３７の下部の水圧が増加するため、弾性シート３３５側への水流が生じ、その水圧によって弾性シート３３５の外側への押圧力が作用する。この押圧力によって、図９に示すように弾性シート３３５が外側に凸状に膨出する。
【００４４】
水圧によって外側に凸状に膨出した弾性シート３３５は、例えば図５に示すように、シャワー保持具１４０の対応係合部としての溝１４３内に入り込む。この場合、シャワーヘッド１２０を持ち上げてシャワー保持具１４０から外そうとしても、弾性シート３３５が溝１４３と係合し、連結部材３３０がシャワー保持具１３０から抜け出てしまうのが規制される。
【００４５】
このように、本発明の第３の実施形態に係るシャワー装置３００においても、前述の第１及び第２の実施形態と同様に、たとえ水勢が強くて連結部材３３０が上昇しようとしても、係合部としての弾性シート３３５が対応係合部としての溝１４３と係合することで、連結部材３３０はシャワー保持具１４０に対して確実に保持される。
【００４６】
（第３の実施形態の変形例）
図１０は第３の実施形態の変形例に係るシャワー装置３８０を示すものである。なお、第３の実施形態と同じ構成部材は同じ符号を付して、その詳細な説明を省略する。
このシャワー装置３８０では、シャワー保持具３９０の内壁面１４２に、対応係合部として溝１４３を設けることなく、ゴム板等の摩擦材３９１を接着剤等の固着手段で固着したものである。
【００４７】
図１０に示すように、連結部材３３０をシャワー保持具３９０に保持した状態で、通水すると、第３の実施形態で記述したように水圧によって弾性シート３３５を外側へ膨出させるが、外側に膨出した弾性シート３３５は、水圧によりシャワー保持具３９０の内壁面１４２に固着した摩擦材３９１に対して圧着される。
【００４８】
このように、シャワー装置３８０においても、前述の第１〜第３の実施形態と同様に、通水時の水勢が強かったとしても、弾性シート３３５へかかる水圧の為に摩擦材３９１に圧着されることで高い摩擦力が生じ、シャワーヘッド１２０が持ち上がってシャワー保持具３９０から外れることが防止される。特に、この例の場合も、連結部材３３０の弾性シート３３５はシャワー保持具３９０の摩擦材３９１に密着して係合されているので、水勢によるシャワーヘッド１２０の上下又は左右方向のブレも起こらず、シャワー水の周辺への飛散も防止できる。
【００４９】
（第４の実施形態）
前述の第１〜第３の実施形態では、通水時、連結部材１３０，２３０，３３０の係合部１３３，３３５が凸状に外側に突出することで、シャワー保持具１４０の内壁面１４２に形成された対応係合部としての溝１４３と係合する構成であるが、第４の実施形態に係るシャワー装置４００では、図１１に示すように、連結部材の凸状に突出する係合部１３３，３３５が、シャワー保持具４４０の底面４４１で成る対応係合部と係合するようにしたことを特徴としている。この場合、セット時に、凸状に突出する係合部１３３，３３５がシャワー保持具４４０の底面４４１の下側に位置するように、係合部１３３，３３５の位置は各連結部材１３０，２３０，３３０の下方位置に設定される。
【００５０】
第４の実施形態に係るシャワー装置４００では、係合部１３３，３３５がシャワー保持具４４０の底面４４１と係合することで、前述の第１〜第３の実施形態と同様に、通水時の水勢いにより連結部材が上昇しようとしても、シャワーヘッド１２０は持ち上がらず、シャワー保持具４４０から不用意に脱離されない。
【００５１】
以上説明したが、本発明はその趣旨を逸脱しない範囲で様々な形態で実施し得る。本発明に係るシャワー装置は、家庭内の浴室、洗面室、キッチンなどのほか、ホテルや公共施設など、屋内外の各種の施設に配設され得ることは言うまでもない。
本発明のシャワー装置を例えば浴室に配設する場合において、シャワー保持具は壁パネルやカウンターなどの取付面に取り付けられる他に、図１２に示すように、壁パネル４２にスライドバー９５を固定し、このスライドバー９５に沿ってシャワー保持具１４０Ａを移動可能に取り付けることもできる。後者の場合は使用者の身長や使用状態によりシャワーヘッドの高さを任意に変更できる点で便宜である。
【００５２】
シャワー保持具１４０に形成する対応係合部は、第１〜３の実施形態のような筋状の横溝１４３に限らず、単に、シャワー保持具の内壁面に凹設した窪み（凹部）であってもよい。この場合も、通水時の水圧によって上記係合部が窪み（凹部）に嵌入することで、シャワーヘッド１２０のがたつきやブレ、またはシャワー保持具１４０からの離脱なども確実に防止することができる。なお、上記した実施の形態では、シャワーホースとシャワーヘッドとを接続する連結部材は別体で形成した場合を示したが、シャワーホース及びシャワーヘッドの何れかに一体的に形成されていてもよいことは勿論である。
【図面の簡単な説明】
【００５３】
【図１】本発明の第１の実施形態に係るシャワー装置を設置した浴室を示す斜視図である。
【図２】第１の実施形態に係るシャワー装置を示す斜視図である。
【図３】第１の実施形態に係る連結部材の拡大断面図である。
【図４】第１の実施形態に係る連結部材の拡大断面図である。
【図５】第１の実施形態に係る連結部材とシャワー保持具との係合状態を示す部分拡大断面図である。
【図６】第２の実施形態に係る連結部材の拡大断面図である。
【図７】第２の実施形態に係る連結部材の拡大断面図である。
【図８】第３の実施形態に係る連結部材の拡大断面図である。
【図９】第３の実施形態に係る連結部材の拡大断面図である。
【図１０】第３の実施形態の変形例に係る連結部材及びシャワー保持具の拡大断面図である。
【図１１】第４の実施形態に係る連結部材とシャワー保持具との係合状態を示す側面図である。
【図１２】本発明のシャワー装置を設置した他の浴室を示す斜視図である。
【図１３】従来のシャワー装置を示す斜視図である。
【符号の説明】
【００５４】
１０  浴室
２０  洗い場
３０  浴槽
３１  手摺り
４１〜４３  壁パネル
５０  天井
６０  カウンター
７０  水栓
７１  切換部
７２  温度調節部
８０  ミラー
９０  棚
９５  スライドバー
１００，２００，３００，３８０，４００  シャワー装置
１１０  シャワーホース
１２０  シャワーヘッド
１２１  吐出孔
１３０，２３０，３３０  連結部材
１３１  連結部材側壁
１３２  貫通孔
１３３  係合部
１３３Ａ  係合部本体
１３３Ｂ  受け部
１３３Ｃ  爪部
１３４  磁石
１４０，１４０Ａ，３９０，４４０  シャワー保持具
１４１  溝部
１４２  内壁面
１４３  溝
２３５  ゴム
３３５  弾性シート
３３７  ガイド片
３９１  摩擦材
４４１  底面
【図１】
2007262838.tif 000003
【図２】
2007262838.tif 000004
【図３】
2007262838.tif 000005
【図４】
2007262838.tif 000006
【図５】
2007262838.tif 000007
【図６】
2007262838.tif 000008
【図７】
2007262838.tif 000009
【図８】
2007262838.tif 000010
【図９】
2007262838.tif 000011
【図１０】
2007262838.tif 000012
【図１１】
2007262838.tif 000013
【図１２】
2007262838.tif 000014
【図１３】
2007262838.tif 000015